(57)【要約】【課題】  本発明は、ファーストフード店頭でジュース等の液体飲料やポップコーン等の粒状飲食物を小分け販売し、持ち運びする際やヨーグルト等の半流動体食品の販売に使用されるカップ状容器からの零れや漏れを防止し、封被されたカップ状容器を開封し易くする。【解決手段】  蓋材が略三角形状の厚紙を基材とし、略三角形状の頂部とその内側に相対向して直線状切り込みを設け、この切り込みに連続して斜傾切り込みと外側縁に達する折込線を設け、蓋材裏面には円形板を装着重合すると共に、円形板と蓋材を折込線により折込み折曲し、切り込みと斜傾切り込みを折り曲げにより分け離して形成される天面板及び当接係止片とで容器開口部を封被し、さらに蓋材と円形板を連結片で連結し、連結片の上端縁の横手方向に屈曲部を設けて上記課題を解決する。【選択図】図８
2008254806.tif 000002
【特許請求の範囲】
【請求項１】
蓋材が略三角形状の厚紙を基材とし、略三角形状の頂部とその内側に相対向して直線状切り込みを設け、前記切り込みに連続して斜傾切り込みと外側縁に達する折込線とを設け、前記蓋材裏面には円形板を前記切り込みに装着重合すると共に、前記折込線を折込み、前記切り込みと斜傾切り込みを折り曲げにより分け離して天面板と当接係止片を形成してなることを特徴とする容器用蓋。
【請求項２】
前記容器用蓋の蓋材と円形板とを連結片で連結し、蓋材と円形板の中心を重ね合わせすることを特徴とする請求項１記載の容器用蓋
【請求項３】
前記容器用蓋の連結片の上端縁の屈曲幅は、外側縁に達する二本の折込線で形成される蓋材の外側縁の屈曲幅よりも狭く形成されていることを特徴とする請求項２記載の容器用蓋
【請求項４】
前記容器用蓋の蓋材と円形板を連結する連結片の境界の横手方向に、屈曲部を設けたことを特徴とする請求項２記載の容器用蓋
【請求項５】
容器開口部にフランジ部を有するカップ状容器に、請求項１または請求項２記載の容器用蓋を封被して構成される容器用蓋付カップ状容器
【発明の詳細な説明】
【技術分野】
【０００１】  本発明は、ジュース・コーラ等の各種液体飲料やポップコーン等の飲食物をファーストフード店で小分け販売し、持ち運びに使用する際やジャムやアイスクリーム並びにヨーグルト等の粘着性のある半流動体食品の販売の際に使用されるカップ状容器にヒンジロック係止で容器開口部を封被し又開封に際しては一回の作業で容器開口部を開封できる容器用蓋に関するものである。
【背景の技術】
【０００２】  従来、ファーストフード店ではジュース・コーラ等の各種液体飲料やポップコーン等の飲食物をファーストフード店で小分け販売し、持ち運びに使用する紙又は合成樹脂製カップ容器が使用され、容器開口部に被せるのには合成樹脂製蓋が広く一般に使用されている。（以下ドリンクリッド蓋使用という）
又アイスクリーム等の粘着性のある半流動体食品の販売の際に使用されるカップ状容器には紙又は合成樹脂製容器が多用され、この種の容器の容器開口部の封被にはアルミ箔を蓋としてシールして使用している。（以下シール蓋使用という）
ジャムやアイスクリーム等の半流動体食品を収納した紙又は合成樹脂製容器の蓋としては、上記シール蓋と、別に製作された紙製蓋を組み合わせて使用している。（組合せ蓋使用という）
更に、紙カップ用簡易蓋として、紙カップのトップカール部を係止めして保持するように簡易蓋の両側部の折り曲げ部を下方に折り曲げて対向する係止部により、紙カップのトップカール部を係止している紙カップ用簡易蓋がある。
【０００３】
【特許文献１】特開平６−１０００２９号公報
【特許文献２】実開昭６１−１２７２６号公報
【特許文献３】特開２００２−１５４５６０号公報
【発明の開示】
【発明が解決しようとする課題】
【０００４】  蓋材としてシール蓋を使用した場合、接着強度は上げられるが、シール蓋を使用したカップ状容器に収容された飲食物の内容量によっては、一度に食べ尽くせないこともあって、シール蓋を反復使用できないという課題がある。（特許文献１特開平６−１０００２９号公報参照）【０００５】  また、ドリンクリッド蓋を使用したカップ状容器では液体飲料やポップコーン等の粒状加工食品を入れて、容器開口部を封被して、容器のフランジ部や捲込部に、前記蓋に係止片を係止して使用することもできる。
ドリンクリッド蓋は一回開封しても反復使用できるも、時にはこの蓋を使用した際、容器ごと床に落としたり、逆さにすると蓋が外れ前記飲料や粒状加工食品が零れてしまうという課題がある。（特許文献２実開昭６１−１２７２６号公報参照）【０００６】  組合せ蓋を使用したカップ状容器の場合、容器と紙製蓋等の封被蓋との結合封被力は低く、封被蓋だけを持つと容器が外れてしまうという課題もある。【０００７】  特許文献３特開２００２−１５４５６０号公報に記載された発明のように紙コップ開口部を封被し、トップカール部を係止して保持するように蓋の両側部の折り曲げ部を下方に折り曲げて対向する係止部により、紙コップトップカール部を係止している蓋もある。
この種の容器に使用された蓋の場合、容器に入れた内容物の大きさによっては、内容物を取り出す際に、紙コップのトップカール部を係止している蓋の相対向する係止部の係止を外すために、紙コップの両側部の折り曲げ部を外す必要があって、一回の開封作業で係止を外せないという不便さと
直線状切り込みを弧状切り込みに形成したような場合には係止片による係止力はヒンジロック係止力が発揮されず微力になり、あるいは係止力は得られなくなるとの課題もある。（特許文献３特開２００２−１５４５６０号公報参照）
【課題を解決するための手段】
【０００８】  本発明は、上記の課題を解決する為に、ジュース・コーラ等の液体飲料やポッコーン等の粒状飲食物やアイスクリーム等の半粘状飲食物を入れたカップ状容器を持ち運び・保管する際に収容された中身が零れ、漏れることがなくしかも必要に応じて反復再利用することができ、加え収容された中身を取り出すときに一回の開封作業で蓋を外すことのできる容器用蓋を提案するものである。【０００９】  蓋材が略三角形状の厚紙を基材とし、略三角形状の頂部とその内側に相対向して直線状切り込みを設け、前記切り込みに連続して斜傾切り込みと外側縁に達する折込線とを設け、前記蓋材裏面には円形板を前記切り込みに装着重合すると共に、前記折込線を折込み、前記切り込みと斜傾切り込みを折り曲げにより分け離して天面板と当接係止片を形成してなる容器用蓋で課題を解決する。【００１０】  前記蓋材と前記円形板とを連結片で連結し、それぞれの中心を重ね合わせすることもできる容器用蓋で、前記天面板と前記円形板との境界横手方向に、屈曲部を設け、重合し屈曲して、重合し易いように前記天面板と前記円形板に中心ポイントを表示して課題を解決することもできる容器用蓋である。
【発明の効果】
【００１１】本発明は、蓋材に設けた折込線を折込み、切り込みを折り曲げ分け離して天面板と当接係止片が形成される容器用蓋をカップ状容器に被せることで、容器開口部を天面板と円形板で封被し乍ら、当接係止片をフランジ部の外周縁直下に係止して、天面板でこの円形板をも押圧して、ヒンジロック係止状態として容器開口部を封被することができる。ヒンジロック係止がカップ状容器の三方向で係止し、直径方向の係止でない為容器変型（潰れ）による蓋の外れが少ない。【００１２】又容器開口部の封被を解いて開口するには、三方向のうち一方向を係止する当接係止片を摘み上げるとヒンジロック係止状態が解除され、更に隣接する他の二方向の当接係止片のヒンジロック係止状態も連繋解除し、容易に容器開口部の封被を解くことができる。加えて、この容器用蓋は一枚の厚紙を打ち抜き加工して基材を取得できるので安価に製造できる。
天面板を設けた蓋材と円形板とを連結片で連結した容器用蓋は円形板を散逸することなく、容易に蓋材裏面の中心に円形板の中心を重合し円形板を装着できるという効果も奏する。
蓋材と円形板の製造工程を一枚の厚紙の打ち抜きの一工程で出来るので、省資源低コストで取得できる効果も期待できる。加えて、本発明の容器用蓋は表面に美粧的効果を上げる印刷を施すこともできる。
【発明を実施するための最良の形態】
【００１３】  この発明に係る容器用蓋は、一枚の厚紙を一度の打ち抜き作業で形成され、蓋材が略三角形状の厚紙を基材とし、略三角形状の頂部とその内側に相対向して直線状切り込みを設け、前記切り込みに連続して斜傾切り込みと外側縁に達する折込線とを設け、前記蓋材裏面には円形板を前記切り込みに装着重合すると共に、折込線を折込み折曲し、前記切り込みと斜傾切り込みを折り曲げにより分け離して天面板と当接係止片を形成してなる容器用蓋を取得できる。
作業効率を考慮するときは天面板と円形板とをそれぞれ別の厚紙を打ち抜き作業して準備することも可能である。
発明を実施するための最良の形態として一枚の厚紙を打ち抜き蓋材と円形板を製造する際に、蓋材と円形板とを連結する連結片を同時に付設することが望ましい。
【実施形態】
【００１４】  以下、図面に従って本発明の実施形態を説明する。
図１ないし図６は本発明の実施形態１を示す図面である。
図７ないし図１１は本発明の実施形態２を示す図面である。
【実施形態１】
【００１５】  本発明に係る容器用蓋の実施形態１を図１ないし図６に従って説明すると、
図１は本発明に係る容器用蓋１の斜視図である。
図２は本発明に係る実施形態１の容器用蓋１の分解展開平面図である。
図３は、本発明の容器用蓋１をカップ状容器２に被せた使用状態を示す斜視図である。
図４は図３のＡ−Ａ断面図である。
図５は図３で示した本発明の容器用蓋１を構成する蓋材７と円形板３６及び容器用蓋１で封被するカップ状容器２に分解して示した斜視図である。
図６（イ）（ロ）はカップ状容器２から収容された中身を取り出す為に、前記蓋１を外す手順を示す図面である。
図６（イ）は、容器用蓋１をカップ状容器２に封被した使用状態を示す斜視図で、図６（ロ）は、容器用蓋１を外した状態を示す斜視図である。
容器用蓋１を構成する蓋材７は、厚紙を打ち抜き加工した基材６から形成される。
【００１６】  蓋材７には厚紙の打ち抜き取得時に、直線状切り込み１１、１２、１３が設けられ、蓋材７の裏面には同時又は別途に厚紙を打ち抜き取得された円形板３６が直線状切り込み１１、１２、１３に重合装着されている。さらに蓋材７に設けた折込線２３、２４、２５、２６、２７、２８を折込み折曲し、加え前記直線状切り込み１１、１２、１３を折り曲げにより分け離して、天面板３５が形成される。
【００１７】  図２は本発明に係る実施形態１の容器用蓋１の分解展開平面図である。
図２は一枚の厚紙を基材６とする打ち抜き加工された蓋材７の分解展開平面図で、基材６から蓋材７を形成する時に円形板３６が同時に打ち抜き取得される。
図２に示した基材６から蓋材７を形成する際に、直線状切り込み１１、１２、１３が、蓋材７の略三角形状の各頂部８、９、１０の内側に、間隔を置いて相対向して形成されている。同様に直線状切り込み１１、１２、１３の左右両端には、起立した切り込み１４、１５、１６、１７、１８、１９が設けられている。
この直線状切り込み１１、１２、１３はカップ状容器２に蓋材７が載せられたときに、直線状切り込み１１、１２、１３をこの容器２のフランジ部４の内周縁５よりも内側に設けるとヒンジロック係止力が発揮される。
尚、前記容器２の上端周縁を実施形態１では板状のフランジ部４を図示したが容器開口部の上端周縁が捲込部に形成されたカップ状容器でも、同様に直線状切り込みをカップ状容器の内周縁よりも内側に設けることでヒンジロック係止力が得られる。
また前記切り込み１１、１２、１３の左右両端には、斜傾起立した切り込み１４、１５、１６、１７、１８、１９が設けられ、前記切り込み１１、１２、１３と連設して皿状切り込み形状を構成する。
前記切り込み１４、１５、１６、１７、１８、１９の斜傾は、蓋材７の中心４５を半径の中心とする仮想半径Ｒ１と同一軌跡上で同一斜傾に形成される。
【００１８】  前記切り込み１４、１５、１６、１７、１８、１９の左右両端から蓋材７の外側縁２０、２１、２２に達する斜傾折込線２３、２４、２５、２６、２７、２８が設けられ、この折込線２３、２４、２５、２６、２７、２８は、折込線２３と折込線２８が仮想延長線上で交わり仮想交点２９が、同様に折込線２４と折込線２５仮想延長線上には仮想交点３０が、折込線２６と折込線２７の仮想延長線上には仮想交点３１が形成され、これら仮想交点２９、３０、３１を結ぶと、略三角形状の蓋材７上に、逆三角形状３２の天面板３５が形成される。
前記折込線２３、２４、２５、２６、２７、２８の折込み折曲と前記直線状切り込み１１、１２、１３と前記切り込み１４、１５、１６、１７、１８、１９を蓋材７から折り曲げにより分け離し、円形板３６とフランジ部４の円周縁３７が装入される略台形状の切り口３８、３９（仮想線で表した）、４０が逆三角形状３２の三方向の各辺に形成される。
前記折込線２３、２４、２５、２６、２７、２８の折込み折曲し、前記直線状切り込み１１、１２、１３を蓋材７から折り曲げにより分け離して略逆三角形状３２の天面板３５とその三方向に前記切り口３８、３９（仮想線で表した）、４０と前記頂部８、９、１０には当接係止片４１、４２、４３が形成される。
【００１９】  円形板３６は、基材６から蓋材７の打ち抜き取得と同時に形成された円形板で、蓋材７の裏面に重合装着され、その円周縁３７が直線状切り込み１１、１２、１３に装入される。円形板３６の半径Ｒ２は前記仮想半径Ｒ１と同一若しくはやや小さい半径で、容器開口部３を封被できる半径、即ち円形板３６がフランジ部４に載せられる半径であれば容器開口部３を封被する目的を達成できる。
本発明の容器用蓋１は、直線状切り込み１１、１２、１３を折り曲げにより分け離し、折込線２３、２４、２５、２６、２７、２８を折込み折曲して形成される三片の当接係止片４１、４２、４３が、それぞれ円形板３６を乗り越えてフランジ部４の外周縁４４直下にヒンジロック係止される。
本発明の容器用蓋１をカップ状容器２の容器開口部３を封被してヒンジロック係止力を得るには、直線状切り込み１１、１２、１３と折込線２３、２４、２５、２６、２７、２８で形成される前記逆三角形状３２の辺（仮想直線）の近傍で、カップ状容器２の内周縁５より図４に示すように内側に直線状切り込み１１、１２、１３を設けると強いヒンジロック係止力が得られる。従って、直線状切り込み１１、１２、１３をカップ状容器２の内周縁５よりも外側に設け、直線状切り込みを弧状切り込みにしたような場合には係止片による係止力は微力になり、あるいは係止力は得られなくなる。
【００２０】  図３は、本発明の容器用蓋１をカップ状容器２に被せた使用状態を示す斜視図で、容器用蓋１を使用するには容器用蓋１を被せ、折込線２３、２４、２５、２６、２７、２８を折込み折曲し、直線状切り込み１１、１２、１３を折り曲げにより分け離して形成される前記切り口３８、３９（仮想線で表した）、４０に、カップ状容器２のフランジ部４と、フランジ部４に載せられ容器開口部３を封被する円形板３６の円周縁３７を装入し、一方直線状切り込み１１、１２、１３から折り曲げにより分け離された当接係止片４１、４２、４３を円形板３６の円周縁３７とフランジ部４を乗り越えさせて、フランジ部４の外周縁４４直下に当接係止させて、切り口３８、３９（仮想線で表した）、４０に装入されたフランジ部４と円形板３６を蓋材７の天面板３５と当接係止片４１、４２、４３で、挟着しヒンジロック係止して容器開口部３を封被して使用する。
尚、図４は図３のＡ−Ａ断面図で、直線状切り込み１１、１２、１３をカップ状容器２の内周縁５よりも内側に設けて強いヒンジロック係止力を得る。
【００２１】  図５は図３で示した本発明の容器用蓋１を被せ、封被したカップ状容器２を、本発明の容器用蓋１を構成する蓋材７と円形板３６と容器用蓋１で封被するカップ状容器２に分解して示した斜視図である。
図５に図示した三方向の略台形状の切り口３８、３９（仮想線で表した）、４０は、、折込線２３、２４、２５、２６、２７、２８を折込み、直線状切り込み１１、１２、１３を折り曲げにより分け離して形成され、フランジ部４と円形板３６の円周縁３７が装入される。
【００２２】  図６（イ）（ロ）はカップ状容器２から収容された中身を取り出す為に、前記蓋１を外す手順を示す図面である。
図６（イ）は、容器用蓋１をカップ状容器２に封被した使用状態を示す斜視図
図６（ロ）は、容器用蓋１を外した状態を示す斜視図
容器開口部３にフランジ部４を有するカップ状容器２に、容器用蓋１を封被したカップ状容器２から容器用蓋１を外すには、カップ状容器２のフランジ部４の外周縁４４直下に装入され、天面板３５と当接係止片４１、４２、４３で挟着され、天面板３５と当接係止片４１、４２、４３で円形板３６を均等係止力でヒンジロック係止し、封被されている容器用蓋１の一方向の当接係止片４１を摘んで引き上げると、ヒンジロック係止状態が解除されて当接係止片４１が外れ、均等係止力で係止している隣接する他の二方向の当接係止片４２、４３のヒンジロック係止状態も連繋して解除され、前記蓋１と円形板３６は一回の開放作業で簡便にカップ状容器２の容器開口部３の封被している容器用蓋１を外せて便益大である。
【実施形態２】
【００２３】  本発明に係る容器用蓋１０１の実施形態２を図７ないし図１１に従って説明すると、
図７は本発明に係る容器用蓋１０１の実施形態２の斜視図である。
図８は本発明に係る容器用蓋１０１の実施形態２の展開平面図である。
図９は本発明の容器用蓋１０１をカップ状容器１０２に被せた使用状態を示す斜視図
図１０は図７で示した本発明の容器用蓋１０１を構成する蓋材１０７と円形板１３６及び容器用蓋１０１で封被するカップ状容器１０２に分解して示した斜視図である。
図１１は図９のＢ−Ｂ線断面図である。
【００２４】  図７は本発明に係る容器用蓋１０１の実施形態２を示し、実施形態２も実施形態１と同様に容器用蓋１０１でカップ状容器１０２の容器開口部１０３を封被して形成されている。容器用蓋１０１は蓋材１０７と円形板１３６で構成され、蓋材１０７裏面には連結片１５０を介して連結される円形板１３６が重合装着されている。
円形板１３６と連結片１５０は蓋材１０７を基材１０６から取得する際に同時に取得される。
【００２５】  図８は  一枚の略三角形の厚紙を基材１０６とする蓋材１０７で、蓋材１０７は略三角形を呈し、その外側縁１２０から連結片１５０を介して円形板１３６が延設されている。
【００２６】  図８に示した蓋材１０７を打ち抜き取得する際に同時に直線状切り込み１１１、１１２、１１３  が、蓋材１０７の略三角形状の各頂部１０８、１０９、１１０の内側に間隔を置いて相対向して設けられる。
直線状切り込み１１１、１１２、１１３  はカップ状容器１０２に蓋材１０７が載せられたときに、図１１に示すように前記容器１０２のフランジ部１０４の内周縁１０５より内側に設けることでヒンジロック係止力が発揮される。
前記直線状切り込み１１１、１１２、１１３の両端から左右に斜傾起立した斜傾切り込み１１４、１１５、１１６、１１７、１１８、１１９が前記基材１０６から蓋材１０７を打ち抜き加工する際に設けられ、前記切り込み１１１、１１２、１１３と連設して皿状切り込み形状を構成する。
前記切り込みの斜傾１１４、１１５、１１６、１１７、１１８、１１９は、蓋材１０７の中心１４５から仮想半径Ｒ３の同一軌跡上で同一斜傾に形成される。
【００２７】  斜傾切り込み１１４、１１５、１１６、１１７、１１８、１１９の左右上端から蓋材１０７の外側縁１２０、１２１、１２２  に達する斜傾折込線１２３、１２４、１２５、１２６、１２７、１２８が設けられ、この折込線１２３と折込線１２８が仮想延長線上で交わり仮想交点１２９が、同様に折込線１２４と折込線１２５が仮想延長上で交わり仮想交点１３０が、折込線１２６と折込線１２７が仮想延長上で交わり仮想交点１３１がそれぞれ形成され、これら仮想交点１２９、１３０、１３１を結ぶと、略三角形状の蓋材１０７に、逆三角形状１３２が形成されこの逆三角形状の主要部が天面板１３５を形成する。
【００２８】  蓋材１０７の折込線１２３、１２４、１２５、１２６、１２７、１２８  を折込み、前記直線状切り込み１１１、１１２、１１３を折り曲げにより分け離して、蓋材１０７を折り曲げすると、天面板１３５と三方向に前記切り口１３８、１３９（仮想線で表した）、１４０と前記頂部１０８、１０９、１１０には当接係止片１４１、１４２、１４３  が形成される。
【００２９】  蓋材１０７の中心１４５と円形板１３６の中心１４６は、厚紙の基材１０６から蓋材１０７と円形板１３６を打ち抜き加工する際に同軸線上に設定されている。
円形板１３６の中心１４６は、蓋材１０７の中心１４５と外側縁１２０との距離Ｘ（長さ）が外側縁１２０と円形板１３６の中心１４６との距離Ｙ（長さ）と同じ距離（長さ）に形成されている。蓋材１０７の中心１４５と円形板１３６の中心１４６とを屈曲部１５５の屈曲により重ね合わせできる。尚、円形板１３６の半径Ｒ４は、前記蓋材１０７の仮想半径Ｒ３よりも小さい半径に形成されている。
【００３０】  前記蓋材１０７と前記円形板１３６とを連結する連結片１５０の境界の横手方向に、屈曲部１５５が設けられ、屈曲が可能である。この屈曲部１５５を形成する連結片１５０の上端縁の幅ａを、前記蓋材１０７に設けた外側縁１２０に向かう二本の折込線１２３、１２８で形成される外側縁１２０の幅ｂよりも狭く形成することで、屈曲部１５５を屈曲しても、蓋材１０７の中心１４５と円形板１３６の中心１４６とを屈曲部１５５の屈曲により重ね合わせできる。連結片１５０の逆ハ字状の両側縁が、二本の折込線１２３、１２８と重合することなく屈曲することが可能となる。
【００３１】図９は本発明の容器用蓋１０１をカップ状容器１０２に被せた使用状態を示す斜視図で、図１０は図９で示した本発明の容器用蓋１０１を構成する蓋材１０７と円形板１３６及び被せるカップ状容器１０２とを分解して示した斜視図である。
本発明の容器用蓋１０１を使用するには、先ず連結片１５０の屈曲部１５５を屈曲して、更に折込線１２３、１２４、１２５、１２６、１２７、１２８  により蓋材１０７を折込み、前記切り込み１１１、１１２、１１３を折り曲げにより分け離して、円形板１３６の円周縁１３７を前記切り込み１１１、１１２、１１３に装入重合し、更に折込線１２３、１２４、１２５、１２６、１２７、１２８  により蓋材１０７を折り曲げて、略台形状の切り口１３８、１３９（仮想線で表した）、１４０を形成し、この切り口１３８、１３９、（仮想線で表した）１４０にはカップ状容器１０２のフランジ部１０４と、フランジ部１０４に載せられ容器開口部１０３を封被する円形板１３６装入し、一方直線状切り込み１１１、１１２、１１３から折り曲げにより分け離され、円形板１３６の円周縁１３７を乗り越えた当接係止片１４１、１４２、１４３  はフランジ部１０４を乗り越え、フランジ部１０４の外周縁１４４直下に当接係止させて、三方向に設けられる切り口１３８、１３９（仮想線で表した）、１４０に装入されたフランジ部１０４と円形板１３６を蓋材１０７の天面板１３５と当接係止片１４１、１４２、１４３で挟着して均等力でヒンジロック係止してカップ状容器１０２の容器開口部１０３を封被して使用する。
図１１は図９のＢ−Ｂ断面図で、直線状切り込み１１１、１１２、１１３をカップ状容器１０２の内周縁１０５よりも内側に設けて強いヒンジロック係止力を得る。
【００３２】  容器用蓋１０１を封被して構成される容器開口部１０３にフランジ部１０４を有するカップ状容器１０２から容器用蓋１０１を外すには、一方向のカップ状容器１０２のフランジ部１０４の外周縁１４４直下に装入されている。円形板１３６をヒンジロック係止している当接係止片１４１を摘んで引き上げると、フランジ部１０４の外周縁１４４から、ヒンジロック係止が外れて当接係止片１４１が外れる。均等係止力で係止している隣接する他の二方向の天面板１３５と当接係止片１４２、１４３でヒンジロック係止している係止状態も連繋して開放され、カップ状容器１０２の容器開口部３の封被している容器用蓋１を簡便に一回の開放作業で外せる。
【図面の簡単な説明】
【００３３】
【図１】本発明に係る実施形態１の容器用蓋１の斜視図
【図２】本発明に係る実施形態１の容器用蓋１の分解展開平面図
【図３】本発明の実施形態１の容器用蓋１をカップ状容器２に被せた使用状態を示す斜視図
【図４】図３のＡ−Ａ断面図である。
【図５】本発明の実施形態１の容器用蓋１を構成する蓋材７と円形板３６と、容器用蓋１で封被するカップ状容器２とに分解して示した斜視図
【図６】カップ状容器２から収容された中身を取り出す為に、容器用蓋１を外す手順を示す図面である。
【図７】本発明に係る実施形態２の容器用蓋１０１の斜視図である。
【図８】本発明に係る容器用蓋１０１の実施形態２の展開平面図である。
【図９】本発明の実施形態２の容器用蓋１０１をカップ状容器１０２に被せた使用状態を示す斜視図である。
【図１０】本発明の実施形態２の容器用蓋１０１を構成する蓋材１０７と円形板１３６と容器用蓋１０１で封被するカップ状容器１０２とを分解して示した斜視図である。
【図１１】図９のＢ−Ｂ断面図である。
【符号の説明】
【００３４】１  容器用蓋
２  カップ状容器
３  容器開口部
４  フランジ部
５  内周縁
６  基材
７  蓋材
８、９、１０  頂部
１１、１２、１３  直線状切り込み
１４、１５、１６、１７、１８、１９  斜傾切り込み
２０、２１、２２  外側縁
２３、２４、２５、２６、２７、２８  折り込み線
２９、３０、３１  仮想交点
３５  天面板                    ３６  円形板
３７  円周縁                    ３８、３９、４０  切り口
４１、４２、４３、当接係止片    ４４  外周縁
４５、４６  中心
１０１  容器用蓋
１０２  カップ状容器
１０３  容器開口部
１０４  フランジ部
１０５  内周縁
１０６  基材
１０７  蓋材
１０８、１０９、１１０  頂部
１１１、１１２、１１３  直線状切り込み
１１４、１１５、１１６、１１７、１１８、１１９  斜傾切り込み
１２０、１２１、１２２  外側縁
１２３、１２４、１２５、１２６、１２７、１２８  折込線
１２９、１３０、１３１  仮想交点
１３５  天面板                          １３６  円形板
１３７  円周縁                          １３８、１３９、１４０  切り口
１４１、１４２、１４３  当接係止片      １４４  外周縁
１４５、１４６  中心
１５０  連結片
１５５  屈曲部
ａ  屈曲幅      Ｒ１  仮想半径      Ｒ２  円形板の半径
ｂ  屈曲幅      Ｒ３  仮想半径      Ｒ４  円形板の半径
【図１】
2008254806.tif 000003
【図２】
2008254806.tif 000004
【図３】
2008254806.tif 000005
【図４】
2008254806.tif 000006
【図５】
2008254806.tif 000007
【図６】
2008254806.tif 000008
【図７】
2008254806.tif 000009
【図８】
2008254806.tif 000010
【図９】
2008254806.tif 000011
【図１０】
2008254806.tif 000012
【図１１】
2008254806.tif 000013